(57)【要約】【課題】ティーショット時にゴルフティーが飛んでも近くに落下させて、プレーヤーにゴルフティーを探す時間をかけさせない。【解決手段】ゴルフティー２の支柱部３への取付部４の外周部に外方突出部材５、５ａを設け、該外方突出部材５、５ａの先端部８、８ａの幅を基端部７、７ａより広く形成し、ゴルフティー２が打ち飛ばされても、外方突出部材５、５ａに大きな空気抵抗がかかると共に、ゴルフティー２の回転が抑止されて、ゴルフティー２をティーショットした地点近くに落下させる。【選択図】        図２
2004321437.tif 000002
【特許請求の範囲】
【請求項１】
ゴルフティーの支柱部への取付部の外周部に長い外方突出部材を設けたことを特徴とするゴルフティーの飛び抑止具。
【請求項２】
外方突出部材の先端部の幅を基端部より広く形成したことを特徴とする請求項１記載のゴルフティーの飛び抑止具。
【請求項３】
取付部をゴルフティーの支柱部に着脱自在としたことを特徴とする請求項１又は２記載のゴルフティーの飛び抑止具。
【請求項４】
少なくとも外方突出部材を可撓性材料で形成したことを特徴とする請求項１、２又は３記載のゴルフティーの飛び抑止具。
【発明の詳細な説明】
【０００１】
【発明の属する技術分野】
本発明は、ティーショット時にゴルフティーを遠くまで飛ばない様にするための抑止具に関する。
【０００２】
【従来の技術】
ゴルフティーは木製やプラスチック製で、地面に突き刺す支柱部とボールを載せる頭部で成り、該頭部は上端部を支柱部より拡大形成し、上端面に球面凹状の球座部を形成している。
そして、球座部にボールを載せて支柱部を地面に突き刺すと、ボールは地面から浮いた状態となり、ティーショットの際に、ゴルフクラブが地面と接れることなく、ボールのみを直接打撃することが容易となる。
しかし、上記ゴルフティーにあっては、クラブが直接当たると遠くまで飛んでいってしまうことから、ゴルフティーの上端部に可撓性材料で形成したボール受け部を設けて、ティーショットの際に、ボールとともにボール受け部を打撃しても、ボール受け部の変形により加わる力が弱められて、遠くまで飛ばなくなる様にしたものが見受けられる。又、このゴルフティーの支柱部には、可撓性材料で形成した高さ調節体が上下動自在に装着され、高さ調節体を地上面に接するまで地面に突き刺せば、好みの高さにボールがティーアップ出来る様な構成になっている（例えば、特許文献１参照）。
【０００３】
【特許文献１】
特願平７ー３１７０１号公報（第１〜３頁、第１図）
【０００４】
【発明が解決しようとする課題】
しかし、上記従来技術にあっては、支柱部をクラブヘッドで強打すると、やはりティーショット地点から遠くまで飛んでしまって見失い易い。
【０００５】
【課題を解決するための手段】
本発明は、上記従来技術に基づく、ゴルフティーがティーショットした地点から遠くへ飛ばされてしまう課題に鑑み、ゴルフティーの支柱部への取付部の外周部に長い外方突出部材を設けて、ゴルフティーに一体化した抑止具における外方突出部材に大きな空気抵抗が作用すると共に、ゴルフティーの回転が抑止されて、ゴルフティーをティーショットした地点近くに落下させ、而も抑止具によりゴルフティーが芝生の中に沈み難く、且つ抑止具自体が目印となることによって、プレーヤーにゴルフティーを探す時間をかけさせない様にして、上記課題を解決する。
【０００６】
【発明の実施の形態】
以下、本発明の一実施例を図面に基づいて説明する。
ゴルフティーの飛び抑止具１（以下、抑止具１と称する。）は、従来から広く用いられているゴルフティー２の支柱部３に取り付けている。
抑止具１は、取付部４と外方突出部材５、５ａで構成し、円形に形成した取付部４の中央部に支柱部３より小径な挿入穴６を設け、該挿入穴６に支柱部３を挿着している。
取付部４の左右の外周部に全長がゴルフティー２と略同寸の外方突出部材５、５ａを設けている。
外方突出部材５、５ａは、基端部７、７ａに比して先端部８、８ａを幅広に形成して、空気抵抗を受け易くすると共に、先端部８、８ａ側を重くするのが好ましく、本実施例においては、外方突出部材５、５ａの略全体を均一幅の帯板状に形成すると共に、先端部８、８ａを基端部７、７ａの幅より大径な円形状に形成している。又、取付部４における、挿入穴６の外周部に円弧状の貫通穴９、９ａ…を４か所設けている。
尚、抑止具１は、可撓性を有する樹脂で形成するのが好ましく、樹脂としては例えば、軟質ポリエチレン、塩化ビニル、ＥＶＡ（エチレン−酢酸ビニル樹脂）、ウレタン系又はアクリルエラストマー、ＳＩＳ（ポリスチレン−ポリイソプレン−ポリスチレンブロック共重合体）、ＳＢＳ（ポリスチレン−ポリブタジエン−ポリスチレンブロック共重合体）等の熱可塑性樹脂及びそれらの各種混合物としている。
又、上記実施例の様に、ゴルフティー２と抑止具１は別体であるのが好ましいが、一体形成されていても良い。又、外方突出部材５、５ａは図示の通り２本が好ましいが、１本又は３本以上であっても良い。
【０００７】
次に本発明に係る抑止具１の使用方法について説明する。
ゴルフティー２の支柱部３を先端部から挿入穴６に差し込むと、挿入穴６が支柱部３の太さに応じて拡径すると共に、支柱部３を、挿入穴６を通って取付部４に貫通させて、支柱部３に抑止具１を一体的に装着する。又、抑止具１の取付部４を可撓性材料で形成すれば、ゴルフティー２を挿入穴６に差し込んで該挿入穴６が拡径しても、その外側の貫通穴９、９ａ…が変形し吸収することから、支柱部３を挿入穴６へ挿着し易い、即ち、抑止具１のゴルフティー２への装着が容易になる。
取付部４から上方に突出したゴルフティー２の長さは各プレーヤーが好みに応じて調節する。
【０００８】
次に本発明に係る抑止具１の作用について説明する。
ボールとともに飛ばされたゴルフティー２は、ゴルフティー２だけでなく外方突出部材５、５ａにも空気抵抗が作用して滞空時間が短くなり、而も抑止具１を装着したゴルフティー２は回転しながら打ち飛ばされるが、抑止具１の外方突出部材５、５ａに大きな空気抵抗が作用し、特に先端部８、８ａの表面積が大きければより多くの抵抗が作用して、回転が抑止され、飛距離が減じられて、結局プレーヤー付近の前方に落下する。
又、先端部８、８ａの表面積が大きく、抑止具１に占める先端部８、８ａの割合が大きくなれば、抑止具１は軽くでき、遠くまで飛ばない。
特に、抑止具１の外方突出部材５、５ａを可撓性材料で形成すれば、飛出し時に一旦大きく折れ曲がって復元するが、その際に大きな空気抵抗を受けて、強くブレーキがかかるため、更に飛距離が減じられる。
又、ゴルフティー２は、外方突出部材５、５ａが芝生に引っ掛かって、芝生の間に沈まず、容易に見付けられ、外方突出部材５、５ａの表面が目立つ色のものであれば、一層容易に見付けられる。
【０００９】
取付部４より上方へ突出させた支柱部３の長さを所望長さにして、取付部４と外方突出部材５、５ａの下面が地面に接するまでゴルフティー２を突き刺せば、ボールを常時一定の高さにティーアップ出来る。
又、ティーショットの際に、ゴルフティー２の外方突出部材５、５ａを飛球線に対して平行又は直角にしてティーグラウンドにセットすれば、抑止具１でゴルフクラブのフェース面の向きを決めたり、或いはプレーヤーが自身の身体の向きを決めるための補助具としても利用出来る。
【００１０】
又、外方突出部材５、５ａを可撓性材料で形成すれば、ティーショット時に、ゴルフティー２にゴルフクラブが当たってゴルフティー２が傾いても、抑止具１の外方突出部材５、５ａは自在に曲がって折損しない。而も、ゴルフティー２に抑止具１を装着した状態のままで、プレーヤーのポケットに多数のゴルフティー２を入れておいても、ポケット内の形状に合わせて外方突出部材５、５ａが自在に変形し、嵩張らず邪魔にならないため、プレーヤーに違和感を与えない。又、ポケットに手を入れれば、外方突出部材５、５ａが指に触れて所望のゴルフティー２を取り出し易い。
【００１１】
【発明の効果】
要するに本発明は、ゴルフティー２の支柱部３への取付部４の外周部に長い外方突出部材５、５ａを設けたので、ゴルフティー２の支柱部３にクラブヘッドが当たっても、ゴルフティー２は、外方突出部材５、５ａが空中で大きな空気抵抗を受け、ティーショット地点付近の芝生上にすぐに落下するため、プレーヤーがゴルフティー２を見付け易くなって、スムーズなプレーを継続することが出来、結果的にゴルフティー２の回収率が上がって、ティーグランド付近にティーが殆ど無くなるため、硬いプラスチック製のゴルフティー２の芝刈機への巻込みによる芝刈機の損傷を防止することが出来る。
更に、外方突出部材５、５ａの先端部８、８ａの幅を基端部７、７ａより広く形成したので、より大きな空気抵抗が作用して、飛距離を更に抑えることが出来る。
【００１２】
取付部４をゴルフティー２の支柱部３に着脱自在としたので、例えばゴルフティー２を折損してしまっても、支柱部３から抑止具１を抜き取って、別のゴルフティー２に装着することが出来るため、抑止具１を再利用することが出来る。
【００１３】
少なくとも外方突出部材５、５ａを可撓性材料で形成したので、飛出し時に変形する外方突出部材５、５ａの復元時に大きな空気抵抗が作用するため、ゴルフティー２の飛距離を更に抑えることが出来る等その実用的効果甚だ大である。
【図面の簡単な説明】
【図１】本発明に係るゴルフティーの飛び抑止具の平面図である。
【図２】図１のＡ−Ａ断面図である。
【符号の説明】
２      ゴルフティー
３      支柱部
４      取付部
５、５ａ  外方突出部材
７、７ａ  基端部
８、８ａ  先端部
【図１】
2004321437.tif 000003
【図２】
2004321437.tif 000004